(57)【要約】【課題】本発明は、簡単な構造で熱や騒音の伝達を確実に抑えることを可能としたキャビネットラック１を提供することを目的としている。【解決手段】本発明に係るキャビネットラック１に設けられたマウントアングル４は機器取り付け部５と遮蔽部６とをそれぞれ折曲形成し、機器取り付け部５には電気・通信機器２を取り付けると共に、遮蔽部６は、機器背面からの空気や、音を遮蔽し、熱や騒音の伝達を確実に抑えることを特徴とする。【選択図】図２
2008294255.tif 000002
【特許請求の範囲】
【請求項１】
電気・通信機器はマウントアングルに固定し箱体本体に収納されるキャビネットラックにおいて、前記マウントアングルは機器取り付け部と遮蔽部とをそれぞれ折曲形成し、前記機器取り付け部には前記電気・通信機器を取り付けると共に、前記遮蔽部は、前記機器背面からの空気や、音を遮蔽したことを特徴とするキャビネットラック。
【請求項２】
前記キャビネットラックにおいて、前記遮蔽部に吸音体を取り付けたことを特徴とする請求項１に記載のキャビネットラック。
【請求項３】
前記キャビネットラックにおいて、前記遮蔽部に断熱体を取り付けたことを特徴とする請求項1に記載のキャビネットラック。
【請求項４】
前記キャビネットラックにおいて、前記遮蔽部に吸音体と断熱体とを取り付けたことを特徴とする請求項１に記載のキャビネットラック。
【発明の詳細な説明】
【技術分野】
【０００１】
本発明は、電気・通信機器はマウントアングルに固定し箱体本体に収納されるキャビネットラックに関するものである。
【背景技術】
【０００２】
近年、サーバー等の通信機器は、高容量でコンパクトな設計が主流であり、通信機器が密集して小さなスペースに収納されるため、排熱が大きな課題となっている。機器の排熱効率を上昇させるため小型で回転数の高いファンを用いることがあるが、騒音が大きく、静かなオフィス等に設置したキャビネットラックからの音漏れも問題となっていた。
【０００３】
キャビネットラックの内部に装備される機器取り付け用のマウントアングルは、板材を折曲し、折曲部に取り付け穴を設けている。機器取り付け穴に機器をねじ固定し、機器はキャビネットラックに収納される。機器の外側にマウントアングルが張り出した状態であるため、機器とキャビネットラックの側面との間の隙間を遮断する格好でマウントアングルは装備されていた。機器とキャビネットラックの側面との間の隙間を遮断しているので、機器から発生される熱や音を遮断する効果があった。
【非特許文献１】カワムララックカタログＮＯ．１０  ２００６年６月１日発行
【発明の開示】
【発明が解決しようとする課題】
【０００４】
キャビネットラックに設けられたマウントアングルに機器を取り付けて、箱体本体に機器を収納するようなタイプの場合、マウントアングルは、機器から発生する熱や音を遮断することはできても、マウントアングルで分けられたスペースの音源側では、やはり熱や音が存在しており、まだまだ、キャビネットラック内部の温度上昇や騒音の発生が問題となっていた。
【課題を解決するための手段】
【０００５】
そこで本発明は、簡単な構造で熱や騒音の伝達を確実に抑えることを可能としたキャビネットラックを提供することを目的とし、その構造は、マウントアングルは機器取り付け部と遮蔽部とをそれぞれ折曲形成し、機器取り付け部には電気・通信機器を取り付けると共に、遮蔽部は、機器背面からの空気や、音を遮蔽したことを特徴とする。
【０００６】
また、遮蔽部に吸音体を取り付けたことを特徴とする。
【０００７】
また、遮蔽部に断熱体を取り付けたことを特徴とする。
【０００８】
また、遮蔽部に吸音体と断熱体とを取り付けたことを特徴とする。
【発明の効果】
【０００９】
本発明に係るキャビネットラックでは、マウントアングルは機器取り付け部と遮蔽部とをそれぞれ折曲形成し、機器取り付け部には電気・通信機器を取り付けると共に、遮蔽部は、機器背面からの空気や、音を遮蔽したため、箱体本体内部の熱や、音の循環を断ち、機器から排出された熱や音が再び機器に吸入されないようにして、温度上昇と騒音の排出を抑制する。
【００１０】
また、遮蔽部に吸音体を取り付けたため、箱体本体内部の熱や、音の循環を断ち、機器から排出された熱や音が再び機器に吸入されないようにして、温度上昇と騒音の排出を抑制する。さらに、音に関しては吸音体により確実に吸収させ、キャビネットの外に排出される音を抑えた。
【００１１】
また、遮蔽部に断熱体を取り付けたため、箱体本体内部の熱や、音の循環を断ち、機器から排出された熱や音が再び機器に吸入されないようにして、温度上昇と騒音の排出を抑制する。さらに、熱に関しては断熱材により、機器から排出された熱が再び機器に吸入されないようにした。
【００１２】
また、遮蔽部に吸音体と断熱体とを取り付けたため、箱体本体内部の熱や、音の循環を断ち、機器から排出された熱や音が再び機器に吸入されないようにして、温度上昇と騒音の排出を抑制する。また、吸音体と断熱材により確実に音と熱を吸収させ、キャビネットラックの騒音と温度上昇を抑えることができる。
【発明を実施するための最良の形態】
【００１３】
本発明に係るキャビネットラックの実施例を図１〜図２の添付図面に基づいて説明する。
【００１４】
キャビネットラック１は、前面取り付け型の機器２を箱体本体３の前方に設けられたマウントアングル４にねじ固定等により取り付け用いられる。マウントアングル４は機器取り付け部５と遮蔽部６とを折曲形成している。キャビネットラック１に収納される機器２は前面取り付け型のものが多く、機器２の前面パネル７に固定部８が設けられ、この固定部８がマウントアングル４の機器取り付け部５にねじ止め等により固定されるものである。遮蔽部６はキャビネットラック１の側面と機器２との間の隙間を前方と後方とに遮断するものである。
【００１５】
機器２は前面側から吸気し、背面側へ排気する構造となっている。吸気された空気は機器２内で温められ排出され、空気を循環させていた。また、このように空気を循環させるために機器２にファンが取り付けられていることも多く、ファンを動作させて効率よく空気を取り入れたりする方法もとられていた。一方でファンを回転させるためのモーター音や、ファンが風を切る音も、排気と共に排出されることが増えてきている。
【００１６】
マウントアングルの遮蔽部６により、背面側に排出された温かい空気が前面側に戻らず、従来のように、温かい空気が再び機器に吸入されさらに温度を上げてしまうといった悪循環を断ち、温度上昇を抑える。
【００１７】
マウントアングル４の遮蔽部５に、発泡体等で構成される吸音体９を取り付ける。遮蔽部６により音を遮蔽し、さらには、吸音体９で音を吸収させるのでキャビネットラック外側に漏れてしまう音を小さくできる。
【００１８】
マウントアングルの遮蔽部に、断熱体を取り付けることも可能である。前方から吸気された空気は機器を通って背面側へ排出される。その後、また、機器の前面側へ回り込もうとする空気はマウントアングルの遮蔽部で遮蔽されると共に、断熱体の断熱機能により確実に熱の伝達も遮断する。
【００１９】
また、マウントアングルの遮蔽部には吸音体と断熱体と、二つの機能を持たせることも可能である。前方から吸気された空気は機器を通って背面側へ排出される。その後、また、機器の前面側へ回り込もうとする空気はマウントアングルの遮蔽部で遮蔽されると共に、吸音体の機能により音を吸収させ、断熱体の断熱機能により確実に熱の伝達を遮断し、確実に音や熱を吸収させキャビネットラックの外へ漏れるのを防ぐ。
【産業上の利用可能性】
【００２０】
キャビネットラックを前方、後方に遮断するマウントアングルに断熱及び吸音材を取り付けることで、熱や音を遮断し消失させ、一度機器から排出された空気や音を再び機器が取り込んでしまわないような構造が提供できる。
【図面の簡単な説明】
【００２１】
【図１】キャビネットラックを示す説明図である。
【図２】図１における断面図である。
【符号の説明】
【００２２】
１    キャビネットラック
２    機器
３    箱体本体
４    マウントアングル
５    機器取り付け部
６    遮蔽部
７    前面パネル
８    固定部
９    吸音体
【図１】
2008294255.tif 000003
【図２】
2008294255.tif 000004